(57)【要約】【課題】発電機の分解点検時に防湿防塵の作業エリアを速やかに設置、撤去する。【解決手段】発電機１は、固定子と、回転子とを備え、点検作業の際には、回転子が発電機１から引き抜かれる。シート収納装置２ａは、右側に引き出されるシート３を格納し、シート収納装置２ｂは、左側に引き出されるシート３を格納する。シート３のうち、主シート部３１は、矩形状をなし、一辺がシート収納装置２のドラムに止着され、他辺が引掛け部材３３によりフック４に係り止めされる。これにより、２枚の主シート部３１と、発電機１との間に防塵防湿用の点検作業エリアを２箇所確保できる。副シート部３２は、直角を有する不等辺四角形状をなし、主シート部３１の左右両辺を折り線として、副シート部３２を折り返し、発電機１の前方及び後方において、左右両側の副シート部３２の一辺同士を連結する。これにより、発電機１の開口部が閉塞され、固定子の防湿を図れる。【選択図】図３
2014014228.tif 000002
【特許請求の範囲】
【請求項１】
発電機であって、
前記発電機の周囲を覆うことが可能なフードを構成するフード構成部材を収納するフード収納機構を備える
ことを特徴とする発電機。
【請求項２】
請求項１に記載の発電機であって、
前記フード構成部材は、シートであり、
前記フード収納機構は、
前記シートを収納するケースと、
前記シートを巻き取るドラムと、
を備え、
当該フード収納機構は、前記発電機の上部に、前記ドラムの巻き取り軸が長手方向に沿うように２台並設され、
前記シートは、
矩形状をなし、その一辺が前記ドラムに止着される第１シート部と、
不等辺四角形状をなし、その一辺が前記第１シート部の左右両辺にそれぞれ連接され、前記シートの収納時には前記第１シート部に重ねられる２枚の第２シート部と、
からなる
ことを特徴とする発電機。
【請求項３】
請求項２に記載の発電機にシートを設置し、撤収する方法であって、
前記フード収納機構から前記第１シート部の他辺を引張って、前記発電機の設置面に固定するステップと、
前記第１シート部の左右両辺において、前記第２シート部を折り返して、当該第２のシートの一辺同士を連結するステップと、
前記連結した第２シート部の一辺同士を外し、当該第２シート部を逆に折り返して、前記第１シート部に重ねるステップと、
前記第１シート部の他辺を前記設置面から外し、前記第１シート部及び前記第２シート部を前記フード収納機構に収納するステップと、
を実行することを特徴とするシート設置撤収方法。
【請求項４】
発電機を覆うためのシートと、
前記シートを収納するケースと、
前記シートを巻き取るドラムと、
を備え、
前記シートは、
矩形状をなし、その一辺が前記ドラムに止着される第１シート部と、
不等辺四角形状をなし、その一辺が前記第１シート部の左右両辺にそれぞれ連接され、前記シートの収納時には前記第１シート部に重ねられる２枚の第２シート部と、
からなる
ことを特徴とするフード収納機構。
【発明の詳細な説明】
【技術分野】
【０００１】
本発明は、発電機の分解点検時に防湿防塵の作業エリアを確保するためのフード収納機構を備えた発電機に関する。
【背景技術】
【０００２】
従来、発電機の分解点検を実施する際には、発電機から回転子を引き抜いた後、回転子の点検作業を行う。そのとき、作業エリア内で発生する粉塵や湿気の影響を受けて、回転子の絶縁低下が起きやすくなる。その絶縁低下を防ぐために確実な品質管理が求められるが、主に防塵対策として、発電機の近辺に仮設ハウスを構築し、その仮設ハウス内で回転子の点検作業を実施している。
【０００３】
防湿、防塵対策の例として、特許文献１には、天井の一部が開閉可能な全天候形の防水、防塵ハウスを基礎上に組立てた後、その内部で変圧器の中身やタンクの組立を行うことが開示されている。
【先行技術文献】
【特許文献】
【０００４】
【特許文献１】特許第２５０９７３１号公報
【発明の概要】
【発明が解決しようとする課題】
【０００５】
しかしながら、回転子の点検作業を終了した後、回転子を再び発電機に挿入する前に、仮設ハウスの撤去を行うが、その撤去に時間を要する。そのため、発電機内の固定子が吸湿し、絶縁低下を招くおそれがある。固定子の絶縁が低下した場合には、長時間に亘る乾燥が必要となり、時間の限られた工程内での対応が困難となる。
【０００６】
本発明は、上記課題を鑑みてなされたものであり、その主たる目的は、発電機の分解点検時に防湿防塵の作業エリアを速やかに設置、撤去することにある。
【課題を解決するための手段】
【０００７】
上記課題を解決するために、本発明は、発電機であって、前記発電機の周囲を覆うことが可能なフードを構成するフード構成部材を収納するフード収納機構を備えることを特徴とする。
【０００８】
この構成によれば、発電機を分解点検する際に、備え付けのフードを発電機の周囲に設けることにより、防湿防塵の作業エリアを速やかに設置、撤去することができる。
【０００９】
また、本発明の上記発電機において、前記フード構成部材は、シートであり、前記フード収納機構は、前記シートを収納するケースと、前記シートを巻き取るドラムと、を備え、当該フード収納機構は、前記発電機の上部に、前記ドラムの巻き取り軸が長手方向に沿うように２台並設され、前記シートは、矩形状をなし、その一辺が前記ドラムに止着される第１シート部と、不等辺四角形状をなし、その一辺が前記第１シート部の左右両辺にそれぞれ連接され、前記シートの収納時には前記第１シート部に重ねられる２枚の第２シート部と、からなることとしてもよい。
【００１０】
この構成によれば、２台のフード収納機構が発電機の上部に並設され、第１シート部は各フード収納機構から引き降ろされ、発電機の両側に斜めに張設され、第２シート部は第１シート部の左右両辺で折り返され、発電機の前面及び後面（開口部）に覆設される。これによれば、第１シート部の張設により、発電機の両側に回転子の点検作業エリアを速やかに確保することができる。そして、第２シート部の覆設により、発電機内部の固定子の防湿を図ることができる。
【００１１】
また、本発明は、上記発電機にシートを設置し、撤収する方法であって、前記フード収納機構から前記第１シート部の他辺を引張って、前記発電機の設置面に固定するステップと、前記第１シート部の左右両辺において、前記第２シート部を折り返して、当該第２のシートの一辺同士を連結するステップと、前記連結した第２シート部の一辺同士を外し、当該第２シート部を逆に折り返して、前記第１シート部に重ねるステップと、前記第１シート部の他辺を前記設置面から外し、前記第１シート部及び前記第２シート部を前記フード収納機構に収納するステップと、を実行することを特徴とする。
【００１２】
この方法によれば、発電機の上部に並設された２台のフード収納機構からシートを引き出して、発電機全体を被覆するので、回転子の点検作業エリアを速やかに確保できるとともに、発電機内部の固定子の防湿を図ることができる。また、発電機全体を被覆しているシートを重ねて、フード収納機構に収納するので、回転子の点検作業エリアを速やかに撤去できるとともに、それにより、回転子をすぐに発電機に戻せるので、固定子の防湿を図ることができる。
【００１３】
また、本発明は、フード収納機構であって、発電機を覆うためのシートと、前記シートを収納するケースと、前記シートを巻き取るドラムと、を備え、前記シートが、矩形状をなし、その一辺が前記ドラムに止着される第１シート部と、不等辺四角形状をなし、その一辺が前記第１シート部の左右両辺にそれぞれ連接され、前記シートの収納時には前記第１シート部に重ねられる２枚の第２シート部と、からなることを特徴とする。
【００１４】
その他、本願が開示する課題及びその解決方法は、発明を実施するための形態の欄、及び図面により明らかにされる。
【発明の効果】
【００１５】
本発明によれば、発電機の分解点検時に防湿防塵の作業エリアを速やかに設置、撤去することができる。
【図面の簡単な説明】
【００１６】
【図１】発電機１及びシート収納装置２を示す図である。
【図２】シート３がシート収納装置２から引き出された状態を示す図である。
【図３】シート３が発電機１全体を覆った状態を示す図である。
【発明を実施するための形態】
【００１７】
以下、図面を参照しながら、本発明を実施するための形態を説明する。本発明の実施の形態に係る発電機は、その上部に一対の巻き上げ式のフード収納機構を設置し、フード収納機構に収納されたフード構成部材をフードとして発電機の周囲に設けることを可能にしたものである。これによれば、発電機を分解点検する際に、速やかな設置及び撤去が可能な防湿防塵作業エリアを確保することにより、点検作業時の品質向上を図り、かつ、限られた時間内での対応を確実に行うことができる。なお、防湿については、作業エリア内の湿度を所定レベルに維持可能な装置を別途設置することで対応する。
【００１８】
≪作業エリアの構成≫
図１は、発電機１及びシート収納装置（フード収納機構）２を示す図である。発電機１は、例えば、火力発電所に設置される発電機であり、その直径は数メートルに及ぶ。そして、固定子と、回転子とを備え、点検作業の際には、回転子が発電機１から引き抜かれる。シート収納装置２は、シート３（フード構成部材：図２、図３参照）の収納ケースと、シート３の一辺が止着されたドラム（図示せず）とを備え、そのドラムによりシート３を巻き取って収納したものであり、発電機１の上部に、ドラムの巻き取り軸が長手方向に沿うように２台が並設される。そのうち、シート収納装置２ａは、図面に向かって右側に引き出されるシート３を格納し、シート収納装置２ｂは、図面に向かって左側に引き出されるシート３を格納する。
【００１９】
引掛け部材３３は、紐状の部材であり、シート３の他辺（上記一辺に対向する辺）の３箇所に付設される。フック４は、引掛け部材３３を引っ掛けるための鉤形の留め金であり、引掛け部材３３の位置に対応するように、発電機１が設置された床面又は地面（発電機１の設置面）に固定される。引掛け部材３３及びフック４は、シート収納装置２ａだけでなく、シート収納装置２ｂに関しても同様に設けられる。
【００２０】
図２は、シート３がシート収納装置２から引き出された状態を示す図である。図１の状態から、引掛け部材３３が斜め下方に引張られ、フック４に掛止されることにより、発電機１の両側にシート３が張設される。シート３は、畳み易く、巻き取り易い材質及び形状の、防塵防湿用シートであり、主シート部３１と、副シート部３２とを備える。主シート部３１は、矩形状に形成されており、一辺がシート収納装置２のドラム（図示せず）に止着され、他辺が引掛け部材３３によりフック４に掛止される。これにより、２枚の主シート部３１と、発電機１との間、２箇所に作業エリアを確保することができる。副シート部３２は、主シート部３１の左右両辺（上記一辺と隣り合う辺）を折り線として折り畳まれており、図３に示すように、展開したときに両側の副シート部３２の一辺同士が合わさるような、直角を有する不等辺四角形状に形成される。
【００２１】
なお、シート３は、主シート部３１の上に両側の副シート部３２が折り畳まれて、全体が矩形状になった状態で、シート収納装置２に収納される。
【００２２】
図３は、シート３が発電機１全体を覆った状態を示す図である。図２の状態から、主シート部３１の左右両辺を折り線として、副シート部３２を折り返し、発電機１の前方及び後方において、左右両側の副シート部３２の一辺を連結することにより、発電機１の開口部が閉塞される。両側の副シート部３２を張り合わせるために、例えば、合わせるべき副シート部３２の一辺同士に、対になる面ファスナを予め装着しておく。さらに、防湿防塵効果を高めるために、シート３と、発電機１の設置面との間のすきまをなくすようにする。これにより、密閉性の向上が図られ、発電機１内の固定子の吸湿や絶縁低下を防止することができる。
【００２３】
≪回転子を点検する手順≫
次に、図１〜図３を参照しながら、発電機１の回転子を点検する手順を説明する。  
（Ｓ１）まず、発電機１の内部から回転子（図示せず）を図１の手前方向に引き抜き、その回転子を、発電機１とフック４との間に設置する。その際、回転子を左右いずれの側に置いてもよいし、専用の架台を予め設けておき、その上に載せるようにしてもよい。  
（Ｓ２）次に、シート収納装置２からシート３を引張り降ろして、図２に示すように、引掛け部材３３をフック４に掛止する。  
（Ｓ３）そして、両側の副シート部３２を折り返して、図３に示すように、発電機１の前方及び後方において張り合わせる。
【００２４】
以上により、回転子の点検作業エリアが確保されるとともに、そのエリア内の防塵防湿を維持しながら、点検作業を行うことができる。特に、副シート部２により発電機１の開口部を塞ぐので、発電機１内の固定子の防湿を図ることができる。なお、湿度の管理は非常に重要であり、冬場の結露等を考慮して、点検作業エリアの中に乾燥機を置く。
【００２５】
点検作業が終了すれば、以下の手順で後始末を行う。  
（Ｓ４）張り合わせた副シート部３２を外し、逆に折り返して、図２に示すように、主シート部３１の上に重ねる。  
（Ｓ５）次に、引掛け部材３３をフック４から外して、図１に示すように、シート３をシート収納装置２に収納する。  
（Ｓ６）発電機１と、フック４との間に設置していた回転子を、発電機１の内部に装着し直す。
【００２６】
以上により、点検作業エリアとして用いたシート３を速やかに撤収できるので、その後の回転子の再装着もすぐに実施可能であり、発電機１内の固定子の防湿を図ることができる。
【００２７】
以上説明した本発明の実施の形態によれば、発電機１の分解点検時において、確実な防湿、防塵の対策による回転子及び固定子の品質向上を図ることができる。そして、その品質向上により、作業工程の時間を短縮することができる。
【００２８】
≪その他の実施の形態≫
以上、本発明を実施するための形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【符号の説明】
【００２９】
１      発電機
２      シート収納装置（フード収納機構）
３      シート
３１    主シート部（第１シート部）
３２    副シート部（第２シート部）
３３    引掛け部材
４      フック
【図１】
2014014228.tif 000003
【図２】
2014014228.tif 000004
【図３】
2014014228.tif 000005